(57)【要約】【課題】熱交換効率が低下するのを抑制しつつ薄型化が可能な空気調和装置の室内機およびこれを備えた空気調和装置を提供する。【解決手段】室内機１１は、吸込口１３および吹出口１７を有するケーシング１５と、ケーシング１５内に配設されたファン本体２３とこのファン本体２３を駆動させるモータ２７とを有するクロスフローファン２５と、吸込口１３からファン本体２３に向かって流れる空気と冷媒との間で熱交換をするための熱交換器２９と、を備えている。ファン本体２３は、複数のブレード１９を有し、外径ｄが回転軸２１の軸方向の厚みｔよりも大きく、回転軸２１がケーシング１５の正面Ｆに対して略垂直な方向に向くように配置されている。【選択図】図５
2010065945.tif 000002
【特許請求の範囲】
【請求項１】
吸込口（１３）および吹出口（１７）を有するケーシング（１５）と、
複数のブレード（１９）を有し、外径（ｄ）が回転軸（２１）の軸方向の厚み（ｔ）よりも大きく、前記回転軸（２１）が前記ケーシング（１５）の正面（Ｆ）に対して略垂直な方向に向くように前記ケーシング（１５）内に配設されたファン本体（２３）と、前記ファン本体（２３）を駆動させるモータ（２７）とを有するクロスフローファン（２５）と、
前記吸込口（１３）から前記ファン本体（２３）に向かって流れる空気と冷媒との間で熱交換をするための熱交換器（２９）と、を備えた空気調和装置の室内機。
【請求項２】
前記クロスフローファン（２５）は、前記ファン本体（２３）の外周の一部に沿って設けられ、前記ファン本体（２３）内に空気が導入される導入領域（３１）と前記ファン本体（２３）内から空気が排出される排出領域（３３）を区分する舌部材（３５）を有し、
前記熱交換器（２９）は、前記回転軸（２１）の軸方向を厚み方向として前記回転軸（２１）に対して略垂直な方向に延びる形状であり、前記ファン本体（２３）の少なくとも前記導入領域（３１）をカバーするように前記ファン本体（２３）と前記吸込口（１３）との間に介在し、
さらに、前記クロスフローファン（２５）は、主面が前記回転軸（２１）に対して略垂直な方向に向くように前記ファン本体（２３）と前記熱交換器（２９）との間に介在し、前記熱交換器（２９）を通過した空気を前記導入領域（３１）へと導く板状案内部材（３７）を有している、請求項１に記載の空気調和装置の室内機。
【請求項３】
複数の前記クロスフローファン（２５）が前記ケーシング（１５）の前記正面（Ｆ）に沿って並んで配置されており、
各クロスフローファン（２５）は、前記舌部材（３５）よりも下流側の前記ファン本体（２３）の外周に沿って設けられ、前記排出領域（３３）から排出される空気を前記吹出口（１７）側へと導く排出側案内部材（３９）をさらに有し、
隣り合うファン本体（２３）が前記排出側案内部材（３９）により仕切られている、請求項２に記載の空気調和装置の室内機。
【請求項４】
前記吸込口（１３）が前記ケーシング（１５）の前記正面（Ｆ）に設けられ、前記吹出口（１７）が前記ケーシング（１５）の底面側に設けられた壁掛け型の室内機であって、前記複数のクロスフローファン（２５）が水平方向に並んで配置されている、請求項３に記載の空気調和装置の室内機。
【請求項５】
前記複数のクロスフローファン（２５）の各排出側案内部材（３９）は、前記ファン本体（２３）に対して水平方向一方側（Ｈ１）にそれぞれ配置されており、
前記複数のクロスフローファン（２５）の各導入領域（３１）は、前記ファン本体（２３）に対して水平方向他方側（Ｈ２）にそれぞれ存在する、請求項４に記載の空気調和装置の室内機。
【請求項６】
前記熱交換器（２９）は、複数の前記ファン本体（２３）の配置に対して前記水平方向他方側（Ｈ２）に偏った位置に配設されている、請求項５に記載の空気調和装置の室内機。
【請求項７】
前記ケーシング（１５）内における前記熱交換器（２９）の前記水平方向一方側（Ｈ１）に配置された電装品箱（４１）をさらに備えている、請求項６に記載の空気調和装置の室内機。
【請求項８】
前記ファン本体（２３）の前記外径（ｄ）は、前記熱交換器（２９）の鉛直方向の長さとほぼ同じ長さである、請求項１〜７のいずれかに記載の空気調和装置の室内機。
【請求項９】
前記モータ（２７）がアウターローター型である、請求項１〜８のいずれかに記載の空気調和装置の室内機。
【請求項１０】
請求項１〜９のいずれかに記載の室内機（１１）と、室外機とを備えた空気調和装置。
【発明の詳細な説明】
【技術分野】
【０００１】
本発明は、空気調和装置の室内機およびこれを備えた空気調和装置に関するものである。
【背景技術】
【０００２】
一般に、空気調和装置の室内機は、吸込口および吹出口を有するケーシング内に、吸込口から空気を吸い込み吹出口から吹き出すためのファン、空気と熱媒体との熱交換を行う熱交換器などを備えている。ファンとしては、空気の吹き出し幅を大きくするのが容易であるという点でクロスフローファンが多く採用されている。
【０００３】
クロスフローファンは、回転軸を中心とする円の周方向に沿って複数のブレードが配列され、回転軸の軸方向に長い円筒形状のファン本体を有している。このファン本体は、その回転軸の軸方向が吸込口の長手方向と平行になるようにケーシングの正面に沿って配置される。これにより空気の吹き出し幅を大きくできる。一方で、ファンの風量を確保するためには、ファン本体の回転軸に垂直な方向の外径を小さくするのは困難である。そのため、室内機の正面側から背面側への方向の厚みが大きくなるという欠点がある。
【０００４】
室内機の厚みを小さくする手段としては、例えば特許文献１に開示されているように、ファン自体の厚みをある程度小さくできるターボファンを室内機用のファンとして用いることが挙げられる。
【特許文献１】特公昭５９−２５９２７号公報
【発明の開示】
【発明が解決しようとする課題】
【０００５】
しかしながら、特許文献１に記載されているようなターボファンでは、ファン内に空気を導入する領域がファンの正面側の中央付近に限定されてしまうため、熱交換効率が必ずしも高いとは言えない。
【０００６】
そこで、本発明は、かかる点に鑑みてなされたものであり、その目的とするところは、熱交換効率が低下するのを抑制しつつ薄型化が可能な空気調和装置の室内機およびこれを備えた空気調和装置を提供することにある。
【課題を解決するための手段】
【０００７】
本発明の空気調和装置の室内機は、吸込口（１３）および吹出口（１７）を有するケーシング（１５）と、前記ケーシング（１５）内に配設されたファン本体（２３）と前記ファン本体（２３）を駆動させるモータ（２７）とを有するクロスフローファン（２５）と、前記吸込口（１３）から前記ファン本体（２３）に向かって流れる空気と冷媒との間で熱交換をするための熱交換器（２９）と、を備えている。前記ファン本体（２３）は、複数のブレード（１９）を有し、外径（ｄ）が回転軸（２１）の軸方向の厚み（ｔ）よりも大きく、前記回転軸（２１）が前記ケーシング（１５）の正面（Ｆ）に対して略垂直な方向に向くように配置されている。
【０００８】
この構成では、外径（ｄ）が回転軸（２１）の軸方向の厚み（ｔ）よりも大きいファン本体（２３）を有するクロスフローファン（２５）を用い、ファン本体（２３）の回転軸（２１）がケーシング（１５）の正面（Ｆ）に対して略垂直な方向に向くようにファン本体（２３）をケーシング（１５）内に配設しているので、室内機の厚みを従来よりも小さくすることができる。しかも、クロスフローファン（２５）は、ファン本体（２３）に空気が導入される導入領域（３１）をファン本体（２３）の外周に沿った広い範囲に設けることができるので、空気の導入領域（３１）が過度に小さくなるのを抑制できる。これにより、熱交換効率が低下するのを抑制できる。
【０００９】
前記クロスフローファン（２５）は、前記ファン本体（２３）の外周の一部に沿って設けられ、前記ファン本体（２３）内に空気が導入される導入領域（３１）と前記ファン本体（２３）内から空気が排出される排出領域（３３）を区分する舌部材（３５）を有し、前記熱交換器（２９）は、その主面が前記回転軸（２１）に対して略垂直な方向に向くように配置された板状体であり、前記ファン本体（２３）の少なくとも前記導入領域（３１）をカバーするように前記ファン本体（２３）と前記吸込口（１３）との間に介在し、さらに、前記クロスフローファン（２５）は、主面が前記回転軸（２１）に対して略垂直な方向に向くように前記ファン本体（２３）と前記熱交換器（２９）との間に介在し、前記熱交換器（２９）を通過した空気を前記導入領域（３１）へと導く板状案内部材（３７）を有しているのが好ましい。
【００１０】
この構成では、クロスフローファン（２５）が上記のような板状案内部材（３７）を有しているので、ファン本体（２３）と熱交換器（２９）とを近接した位置に配設した場合であっても、熱交換器（２９）を通過した空気をファン本体（２３）の外周に沿った導入領域（３１）へと安定して導くことができる。これにより、空気の流れが安定するとともに、さらなる薄型化が可能になる。
【００１１】
複数の前記クロスフローファン（２５）が前記ケーシング（１５）の前記正面（Ｆ）に沿って並んで配置されており、各クロスフローファン（２５）は、前記舌部材（３５）よりも下流側の前記ファン本体（２３）の外周に沿って設けられ、前記排出領域（３３）から排出される空気を前記吹出口（１７）側へと導く排出側案内部材（３９）をさらに有し、隣り合うファン本体（２３）が前記排出側案内部材（３９）により仕切られているのが好ましい。
【００１２】
この構成では、クロスフローファン（２５）が複数設けられているので、室内機の風量を大きくすることができる。しかも、各クロスフローファン（２５）が上記のような排出側案内部材（３９）を有しているので、排出領域（３３）から排出された空気を吹出口（１７）側に安定して導くことができる。しかも、隣り合うファン本体（２３）が排出側案内部材（３９）により仕切られているので、クロスフローファン（２５）の通風路を流れる空気が他のクロスフローファン（２５）の通風路を流れる空気と混ざるのを抑制できる。これにより、空気の流れがさらに安定するとともに、空気が混じり合うことに起因して生じることがある共鳴現象を抑制することもできる。
【００１３】
本発明の室内機は、前記吸込口（１３）が前記ケーシング（１５）の前記正面（Ｆ）に設けられ、前記吹出口（１７）が前記ケーシング（１５）の底面側に設けられた壁掛け型であって、前記複数のクロスフローファン（２５）が水平方向に並んで配置されているのが好ましい。
【００１４】
上記のように本発明の室内機は、薄型化が可能であるので、設置場所に制約の多い室内の側面に取り付けられる壁掛け型に好適である。この構成では、クロスフローファン（２５）が水平方向に並んで配置され、各ファンから排出される空気がケーシング（１５）の底面側に設けられた吹出口（１７）から吹き出される。
【００１５】
前記複数のクロスフローファン（２５）の各排出側案内部材（３９）は、前記ファン本体（２３）に対して水平方向一方側（Ｈ１）にそれぞれ配置されており、前記複数のクロスフローファン（２５）の各導入領域（３１）は、前記ファン本体（２３）に対して水平方向他方側（Ｈ２）にそれぞれ存在するのが好ましい。
【００１６】
この構成では、各排出側案内部材（３９）がファン本体（２３）に対して水平方向一方側（Ｈ１）にそれぞれ配置され、各導入領域（３１）がファン本体（２３）に対して水平方向他方側（Ｈ２）にそれぞれ存在しているので、風速分布および風量分布のばらつきを小さくすることができる。
【００１７】
このように各排出側案内部材（３９）が水平方向一方側（Ｈ１）に配置され、各導入領域（３１）が水平方向他方側（Ｈ２）に存在する場合、前記熱交換器（２９）は、複数の前記ファン本体（２３）の配置に対して水平方向他方側（Ｈ２）に偏った位置に配設されているのが好ましい。
【００１８】
この構成では、各導入領域（３１）は上記のように水平方向他方側（Ｈ２）に存在しているので、室内の空気は、吸込口（１３）の中でもファン本体（２３）の水平方向他方側（Ｈ２）の領域から吸い込まれる割合が高くなる。したがって、熱交換器（２９）をファン本体（２３）の配置に対して水平方向他方側（Ｈ２）に偏った位置に配設することにより、吸込口（１３）から吸い込まれた空気がより多く通る位置に選択的に熱交換器（２９）を配置することができるので、熱交換器（２９）の主面の面積あたりの熱交換効率を高めることができるとともに、熱交換にあまり寄与しない部分を省いて熱交換器の材料コストを低減でき、また室内機を小型化することができる。
【００１９】
このように熱交換器（２９）を水平方向他方側（Ｈ２）に偏って配置する場合、電装品箱（４１）は、前記ケーシング（１５）内における前記熱交換器（２９）の水平方向一方側（Ｈ１）に配置するのが好ましい。このように水平方向他方側（Ｈ２）に熱交換器（２９）を偏らせて配置することにより生まれる空間に電装品箱（４１）を配置することにより、ケーシング（１５）内の空間を有効利用できる。
【００２０】
前記ファン本体（２３）の前記外径（ｄ）は、前記熱交換器（２９）の鉛直方向の長さとほぼ同じ長さであるのが好ましい。本発明のようにファン本体（２３）の回転軸（２１）がケーシング（１５）の前記一面に対して略垂直な方向に向くようにファン本体（２３）をケーシング（１５）内に配置する場合、ファン本体（２３）の外径寸法の制約は、従来と比べて著しく小さくなる。したがって、ファン本体（２３）の外径（ｄ）を熱交換器（２９）の鉛直方向の長さとほぼ同じ長さまで大きくすることが可能になる。これにより、室内機の風量をさらに大きくすることができる。
【００２１】
前記モータ（２７）はアウターローター型であるのが好ましい。アウターローター型のモータ（２７）は薄型化しやすいので、この構成によれば、室内機の厚みをさらに小さくすることができる。
【００２２】
本発明の空気調和装置は、上記のいずれかに記載の室内機（１１）と、室外機とを備えている。
【発明の効果】
【００２３】
以上説明したように、本発明によれば、外径が回転軸の軸方向の厚みよりも大きいファン本体を有するクロスフローファンを用い、ファン本体の回転軸がケーシングの正面に対して略垂直な方向に向くようにファン本体をケーシング内に配設することにより、熱交換効率の低下を抑制しつつ薄型化することができる。
【発明を実施するための最良の形態】
【００２４】
以下、本発明の一実施形態について図面を参照して詳細に説明する。
＜第１の実施形態＞
図１〜４に示すように、第１の実施形態にかかる室内機１１は、吸込口１３および吹出口１７を有するケーシング１５と、吸込口１３から室内の空気を吸い込み、その空気を吹出口１７に送るクロスフローファン２５と、吸込口１３からクロスフローファン２５に向かって流れる空気と冷媒との間で熱交換をするための熱交換器２９と、この熱交換器２９とケーシング１５の水平方向一方側Ｈ１の側面との間に配置された電装品箱４１と、を備えている。
【００２５】
この室内機１１は、薄型化された壁掛け型であり、吸込口１３がケーシング１５の正面Ｆに設けられ、吹出口１７がケーシング１５の底面側に設けられている。吸込口１３にはグリル１３ａが設けられている。クロスフローファン２５は２つ設けられていて、これらがケーシング１５の正面Ｆに沿って水平方向に並んで配置されている。
【００２６】
図５に示すように、各クロスフローファン２５は、ファン本体２３と、このファン本体２３を回転軸２１の回りに回転駆動させるモータ２７とを備えている。ファン本体２３は、その中心に軸部材２２の一端が取り付けられた円盤状の平板部２０と、この平板部２０の周囲に沿って配列された複数のブレード１９とを有している。これらのブレード１９は、互いに同形状であり、平板部２０の半径方向に対してほぼ同じ角度で傾斜して配列されている。軸部材２２はファン本体２３の回転軸２１上に配置されている。
【００２７】
ファン本体２３は、回転軸２１がケーシング１５の正面Ｆに対して略垂直な方向に向くようにケーシング１５内に配置されている。すなわち、平板部２０はケーシング１５の正面Ｆに対して略平行である。
【００２８】
ファン本体２３の外径ｄは、回転軸２１の軸方向の厚みｔよりも大きい。厚みｔは、外径ｄの好ましくは１／２以下、より好ましくは１／５以下、さらに好ましくは１／８以下であるのがよい。
【００２９】
従来の室内機は、回転軸の軸方向に長い円筒形状で、その回転軸の軸方向が吸込口の長手方向と平行になるようにケーシングの正面Ｆに沿って配置されたファン本体を備えている。このファン本体の外径は風量を確保するために通常１００ｍｍ程度に設定される。この外形寸法が室内機の薄型化を妨げている。一方、本実施形態の室内機では、上記のように厚みｔを外径ｄよりも大幅に小さくできる。例えば、厚みｔを２５ｍｍ程度に薄くして室内機の薄型化を実現するとともに、外径ｄを熱交換器２９の鉛直方向の長さとほぼ同じ長さである２２０ｍｍ程度に大きく設定して風量を確保することも可能になる（この場合、厚みｔは外径ｄの１／８以下である。）。しかも、本実施形態では、２つのクロスフローファン２５を配置することにより、薄型化に起因する風量低下をさらに抑制できる。
【００３０】
図５に示すように、モータ２７は、薄型のアウターローター型であり、ロータ２７２とステータ２７１とを有している。ロータ２７２は、微小な磁石粒を含む樹脂により形成されており、ステータ２７１の発生する磁界により回転軸２１を中心に回転する。ロータ２７２は、回転軸２１と同心の円筒部２７２ａと円筒部２７２ａの一端に一体に形成された平板状の底部２７２ｂとからなる。このロータ２７２は、底部２７２ｂと平板部２０とが厚み方向に重ね合わされた状態でファン本体２３と接合されている。ロータ２７２は、例えばカシメ、ネジ、リベット、ピンなどでファン本体２３の平板部２０に固定されたり、接着剤などでファン本体２３の平板部２０に接着される。
【００３１】
ステータ２７１は、ロータ２７２を回転させるためのものであり、磁界を発生させる図略の鉄心、コイルなどを有する。ステータ２７１は、ロータ２７２の円筒部２７２ａの内部に配置された円柱状の小径部２７１ａと、この小径部２７１ａと一体に形成され、円筒部２７２ａの外部に配置され、小径部２７１ａよりも径の大きな大径部２７１ｂとを有している。大径部２７１ｂには、図略の取付部材が装着されており、この取付部材を介してステータ２７１がケーシング１５に取り付けられる。
【００３２】
ステータ２７１は、回転軸２１に沿って設けられ、軸部材２２が挿入された貫通口２７５を有している。この貫通口２７５の内周面には、この内周に沿って軸受け保持部２７４が配設されている。この軸受け保持部２７４と軸部材２２との間には軸受け２７３が介在している。これにより、ロータ２７２およびファン本体２３がステータ２７１に対して回転自在に保持されている。
【００３３】
図２〜４に示すように、ケーシング１５は、正面Ｆと背面Ｒが略平行であり、厚み方向（図２における上下方向）が幅方向（図２における左右方向）よりも小さな内部空間を有している。
【００３４】
この内部空間において、ケーシング１５の背面Ｒ側には、この背面Ｒに対して略平行に径方向が向くように各ファン本体２３がそれぞれ配置されている。ケーシング１５の正面Ｆ側には、この正面Ｆに対して略平行に熱交換器２９が配置されている。この熱交換器２９は、回転軸２１の軸方向を厚み方向として回転軸２１に対して略垂直な方向（ケーシング１５の幅方向）に延びる扁平状の形を有している。この熱交換器２９は、２つのクロスフローファン２５のほぼ全体をカバーするようにファン本体２３と吸込口１３との間に介在している。熱交換器２９のカバー領域は、図４において一点鎖線で示されている。
【００３５】
各ファン本体２３と熱交換器２９との間には、板状案内部材３７がそれぞれ介在している。各板状案内部材３７は、各ファン本体２３におけるケーシング１５の正面Ｆ側全体を覆うようにそれぞれ配設されている。また、各板状案内部材３７は、熱交換器２９およびファン本体２３の径方向と略平行にそれぞれ配置されている。これにより、熱交換器２９と各板状案内部材３７との間には、扁平な空間（第１空間Ｓ１）がそれぞれ形成されており、各板状案内部材３７と各ファン本体２３との間には、扁平な空間（第２空間Ｓ２）がそれぞれ形成されている。
【００３６】
各板状案内部材３７におけるケーシング１５の幅方向一方側（図４における水平方向一方側Ｈ１）の端部には、排出側案内部材３９がそれぞれ連設されている。これらの排出側案内部材３９は、図４に示すように、ファン本体２３の上方からファン本体２３の水平方向一方側Ｈ１の側方を経てケーシング１５の下部に至る領域まで形成されており、この形成領域において板状案内部材３７とケーシング１５の背面Ｒとを接続している。図２および図４に示すように、隣り合うファン本体２３は、水平方向他方側Ｈ２の排出側案内部材３９により仕切られている。
【００３７】
上記のような構成であるので、各第２空間Ｓ２は、ファン本体２３におけるケーシング１５の正面Ｆ側、上方側および水平方向一方側Ｈ１において、板状案内部材３７と排出側案内部材３９により閉じられており、ファン本体２３におけるケーシング１５の水平方向他方側Ｈ２および吹出口１７側の２箇所において開口している。これらの開口部は後述するように空気の流通路となる。
【００３８】
熱交換器２９とケーシング１５の背面Ｒとの間で、かつ、各クロスフローファン２５の水平方向他方側Ｈ２には、第１空間Ｓ１と第２空間Ｓ２の厚みを合わせた程度の広い空間（第３空間Ｓ３）が形成されている。この第３空間Ｓ３は、ファン本体２３の水平方向他方側Ｈ２の前記開口部を通じて第２空間Ｓ２と連通している。これにより、第１空間Ｓ１と第２空間Ｓ２がつながっている。
【００３９】
また、図３および図４に示すように、各クロスフローファン２５は、ファン本体２３の上部と下部の外周に沿ってそれぞれ配置された２つの舌部材３５を有している。これらの舌部材３５は、ケーシング１５の背面Ｒと板状案内部材３７との間の空間に跨ってそれぞれ配置されている。図６に示すように、舌部材３５よりも水平方向他方側Ｈ２のファン本体２３の外周の一部に沿った空間が、ファン本体２３内に空気が導入される導入領域３１となり、舌部材３５よりも水平方向一方側Ｈ１のファン本体２３の外周の他の一部に沿った空間が、ファン本体２３から空気が排出される排出領域３３となる。
【００４０】
電装品箱４１は、モータ２７の駆動を制御するための電装品などを収納している。電装品箱４１の配設位置は、図４において二点鎖線で示されている。
【００４１】
本発明の一実施形態にかかる空気調和装置は、上記の室内機１１と、図略の室外機とを備えている。
【００４２】
次に、図６および図７を参照して室内機１１における空気の流れについて説明する。室内機１１のクロスフローファン２５が駆動すると、ケーシング１５の正面Ｆに設けられた吸込口１３からケーシング１５の内部に空気が吸い込まれ、熱交換器２９を通過する。熱交換器２９を通過した空気のうち、板状案内部材３７よりも水平方向他方側Ｈ２にある空気（すなわち、第３空間Ｓ３にある空気）は、向きを変えることなくそのまま導入領域３１に送られる。一方、第１空間Ｓ１にある空気は、その扁平空間に沿って水平方向他方側Ｈ２に進み、第３空間Ｓ３において水平方向一方側Ｈ１に向きを変えて導入領域３１に流入する。
【００４３】
ついで、図６に示すように、導入領域３１に送られてきた空気は、この導入領域３１を通じてファン本体２３の内部に導入され、排出領域３３からファン本体２３の外部に排出される。排出された空気は、排出側案内部材３９に沿って進み、吹出口１７から室内に吹き出される。
【００４４】
以上説明したように、本実施形態の室内機では、吸込口１３および吹出口１７を有するケーシング１５と、ケーシング１５内に配設されたファン本体２３とファン本体２３を駆動させるモータ２７とを有するクロスフローファン２５と、吸込口１３からファン本体２３に向かって流れる空気と冷媒との間で熱交換をするための熱交換器２９と、を備え、ファン本体２３は、複数のブレード１９を有し、外径ｄが回転軸２１の軸方向の厚みｔよりも大きく、回転軸２１がケーシング１５の正面Ｆに対して略垂直な方向に向くように配置されているので、室内機の厚みを従来よりも小さくすることができる。しかも、クロスフローファン２５は、ファン本体２３に空気が導入される導入領域３１をファン本体２３の外周に沿った広い範囲に設けることができるので、空気の導入領域３１が過度に小さくなるのを抑制できる。これにより、熱交換効率が低下するのを抑制できる。
【００４５】
また、本実施形態では、クロスフローファン２５は、ファン本体２３の外周の一部に沿って設けられ、ファン本体２３内に空気が導入される導入領域３１とファン本体２３内から空気が排出される排出領域３３を区分する舌部材３５を有し、熱交換器２９は、その主面が回転軸２１に対して略垂直な方向に向くように配置された板状体であり、ファン本体２３の少なくとも導入領域３１をカバーするようにファン本体２３と吸込口１３との間に介在し、さらに、クロスフローファン２５は、主面が回転軸２１に対して略垂直な方向に向くようにファン本体２３と熱交換器２９との間に介在し、熱交換器２９を通過した空気を導入領域３１へと導く板状案内部材３７を有しているので、ファン本体２３と熱交換器２９とを近接した位置に配設した場合であっても、熱交換器２９を通過した空気をファン本体２３の外周に沿った導入領域３１へと安定して導くことができる。これにより、空気の流れが安定するとともに、さらなる薄型化が可能になる。
【００４６】
また、本実施形態では、複数のクロスフローファン２５がケーシング１５の正面Ｆに沿って並んで配置されており、各クロスフローファン２５は、舌部材３５よりも下流側のファン本体２３の外周に沿って設けられ、排出領域３３から排出される空気を吹出口１７側へと導く排出側案内部材３９をさらに有し、隣り合うファン本体２３が排出側案内部材３９により仕切られている。このようにクロスフローファン２５が複数設けられているので、室内機の風量を大きくすることができる。しかも、各クロスフローファン２５が上記のような排出側案内部材３９を有しているので、排出領域３３から排出された空気を吹出口１７側に安定して導くことができる。しかも、隣り合うファン本体２３が排出側案内部材３９により仕切られているので、クロスフローファン２５の通風路を流れる空気が他のクロスフローファン２５の通風路を流れる空気と混ざるのを抑制できる。これにより、空気の流れがさらに安定するとともに、空気が混じり合うことに起因して生じることがある共鳴現象を抑制することもできる。
【００４７】
また、本実施形態では、複数のクロスフローファン２５の各排出側案内部材３９は、ファン本体２３に対して水平方向一方側Ｈ１にそれぞれ配置されており、複数のクロスフローファン２５の各導入領域３１は、ファン本体２３に対して水平方向他方側Ｈ２にそれぞれ存在しているので、風速分布および風量分布のばらつきを小さくすることができる。
【００４８】
また、本実施形態のようにファン本体２３の回転軸２１がケーシング１５の前記一面に対して略垂直な方向に向くようにファン本体２３をケーシング１５内に配置する場合、ファン本体２３の外径寸法の制約は、従来と比べて著しく小さくなる。したがって、ファン本体２３の外径ｄを熱交換器２９の鉛直方向の長さとほぼ同じ長さまで大きくすることが可能になる。これにより、室内機の風量をさらに大きくすることができる。
【００４９】
また、本実施形態では、モータ２７はアウターローター型である。アウターローター型のモータ２７は薄型化しやすいので、室内機の厚みをさらに小さくすることができる。
＜第２の実施形態＞
図８および図９は、本発明の第２の実施形態にかかる室内機１１をそれぞれ示す断面図である。この第２の実施形態にかかる室内機１１は、ケーシング１５内における熱交換器２９の配設位置および電装品箱４１の配設位置が第１の実施形態とは相違している。その他の構成は、第１の実施形態と同様であるので、同じ符号を付して説明を省略する。
【００５０】
図８および図９に示すように、熱交換器２９は、第１の実施形態と同様に、回転軸２１の軸方向を厚み方向として回転軸２１に対して略垂直な方向に延びる形状であり、ファン本体２３と吸込口１３との間に介在している。
【００５１】
この熱交換器２９は、２つのファン本体２３の配置に対して水平方向他方側Ｈ２に偏った位置に配設されている。熱交換器２９の配設位置は、図９において一点鎖線で示されている。すなわち、熱交換器２９は、各ファン本体２３の少なくとも導入領域３１をカバーするが、水平方向一方側Ｈ１のクロスフローファン２５における排出領域３３の一部および排出側案内部材３９の一部をカバーしない位置に配設されている。このように熱交換器２９を偏らせて配置することにより生まれたケーシング１５内の水平方向一方側Ｈ１のスペースに電装品箱４１が配置されている。
【００５２】
各導入領域３１は水平方向他方側Ｈ２に存在しているので、室内の空気は吸込口１３の中でもファン本体２３の水平方向他方側Ｈ２の領域から吸い込まれる割合が高くなる。したがって、本実施形態では、熱交換器２９をファン本体２３の配置に対して水平方向他方側Ｈ２に偏った位置に配設することにより、吸込口１３から吸い込まれた空気がより多く通る位置に選択的に熱交換器２９を配置することができる。
【００５３】
以上説明したように、本実施形態の室内機では、各導入領域３１は上記のように水平方向他方側Ｈ２に存在しているので、室内の空気は、吸込口１３の中でもファン本体２３の水平方向他方側Ｈ２の領域から吸い込まれる割合が高くなる。したがって、熱交換器２９をファン本体２３の配置に対して水平方向他方側Ｈ２に偏った位置に配設することにより、吸込口１３から吸い込まれた空気がより多く通る位置に選択的に熱交換器２９を配置することができるので、熱交換器２９の主面の面積あたりの熱交換効率を高めることができるとともに、熱交換にあまり寄与しない部分を省いて熱交換器の材料コストを低減でき、また室内機を小型化することができる。
【００５４】
このように熱交換器２９を水平方向他方側Ｈ２に偏って配置する場合、電装品箱４１は、ケーシング１５内における熱交換器２９の水平方向一方側Ｈ１に配置するのが好ましい。このように水平方向他方側Ｈ２に熱交換器２９を偏らせて配置することにより生まれる空間に電装品箱４１を配置することにより、ケーシング１５内の空間を有効利用できる。
＜その他の実施形態＞
以上、本発明の二つの実施形態について説明したが、本発明は、上記実施形態に限られるものではなく、その趣旨を逸脱しない範囲で種々変更、改良等が可能である。例えば、上記実施形態では、ケーシング内にクロスフローファンを２つ配設した場合を例に挙げて説明したが、クロスフローファンの個数は３つ以上であってもよく、また、外径を大きくするなどして風量を確保したうえでクロスフローファンを１つに減らすことも可能である。
【００５５】
上記実施形態では、壁掛け型の室内機を例に挙げて説明したが、本発明の室内機は床置き型、天井吊り型などにも適用可能である。
【図面の簡単な説明】
【００５６】
【図１】本発明の第１の実施形態にかかる空気調和装置の室内機を示す正面図である。
【図２】図１におけるII−II線断面図である。
【図３】図１におけるIII−III線断面図である。
【図４】図３におけるIV−IV線断面図である。
【図５】第１の実施形態の室内機におけるファン本体およびアウターローター型のモータを示す断面図である。
【図６】第１の実施形態の室内機におけるクロスフローファンの周辺および内部の空気の流れを説明するための概略図である。
【図７】第１の実施形態の室内機の周辺および内部の空気の流れを説明するための概略図である。
【図８】本発明の第２の実施形態にかかる空気調和装置の室内機を示す断面図である。
【図９】第２の実施形態の室内機を示す断面図である。
【符号の説明】
【００５７】
１１  室内機
１３  吸込口
１５  ケーシング
１７  吹出口
１９  ブレード
２１  回転軸
２２  軸部材
２３  ファン本体
２５  クロスフローファン
２７  モータ
２９  熱交換器
３１  導入領域
３３  排出領域
３５  舌部材
３７  板状案内部材
３９  排出側案内部材
４１  電装品箱
Ｈ１  水平方向一方側
Ｈ２  水平方向他方側
【図１】
2010065945.tif 000003
【図２】
2010065945.tif 000004
【図３】
2010065945.tif 000005
【図４】
2010065945.tif 000006
【図５】
2010065945.tif 000007
【図６】
2010065945.tif 000008
【図７】
2010065945.tif 000009
【図８】
2010065945.tif 000010
【図９】
2010065945.tif 000011